(57)【要約】【課題】  粘着部材を使わずに感温素子により検温できると共に、簡単でコンパクトに収納できる検温装置を提供する。【解決手段】  中空状筐体内に設けられた検温器本体を有し、オブジェクトの所定部位に装着しコードを介して前記検温器本体と連結する感温部材によって測定を行う検温装置において、前記感温部材が取り付けられて前記オブジェクトの所定部位に固持するための取付バンドが付設され、前記筐体内の前記検温器本体の設置部位の隣接部位に、外向けに開口が開設され、該開口を覆うように蓋が設けられ、前記感温部材と前記コードを、前記取付バンドと共に前記開口を経て前記筐体内に入れて前記蓋により閉じるように構成される。【選択図】図３
0003107271.tif 000002
【実用新案登録請求の範囲】
【請求項１】
中空状筐体内に設けられた検温器本体を有し、オブジェクトの所定部位に装着しコードを介して前記検温器本体と連結する感温部材によって測定を行う検温装置において、
前記感温部材が取り付けられて前記オブジェクトの所定部位に固持するための取付バンドが付設され、
前記筐体内の前記検温器本体の設置部位の隣接部位に、外向けに開口が開設され、該開口を覆うように蓋が設けられ、
前記感温部材と前記コードを、前記取付バンドと共に前記開口を経て前記筐体内に入れて前記蓋により閉じるように構成されることを特徴とする検温装置。
【請求項２】
前記蓋は、該蓋の端縁から切り込んで前記コードを引出すための小穴が設けられ、前記開口と逆側の表面に前記バンドに係止するための係止手段が設けられていることを特徴とする請求項１に記載の検温装置。
【請求項３】
前記バンドは、概ね中央部の上端面に開口部が設けられ、該開口部から窪んで前記感温部材を収容できる保持具とするポケットが設けられ、両端部に互いに繋ぎ止める留め具が設けられていることを特徴とする請求項１に記載の検温装置。
【請求項４】
前記ポケットのオブジェクトに面した側壁部には窓が空けられ、透明シートが張り付けられていることを特徴とする請求項３に記載の検温装置。
【請求項５】
前記コードは、一端が前記検温器本体と接続され、他端にソケットが設けられた第１のコードと、一端に前記ソケットに対応してプラグが設けられ、他端が前記感温部材と接続されてある第２のコードとからなっていることを特徴とする請求項１に記載の検温装置。
【考案の詳細な説明】
【技術分野】
【０００１】
本考案は、検温装置に関するものである。
【背景技術】
【０００２】
従来、検温器などの計測装置として、例えば、米国特許第６，６４１，５４４号があり、それに開示されている構成として、図１は、携帯用検温器１の構成を示す斜視図、図２は該検温器の使用例の概略図を示す。図１に示すように、コンパクト型筐体１１と、該筐体１１に内蔵される検温器本体（図示せず）と、前記検温器本体に前記筐体１１内から引出されたコード１４２を介して連結される感温機構１３とから構成されている。前記筐体１１の表面部には、前記検温器本体と電気的に接続される表示部１２２と、警報を発するためのスピーカ部１２３と、電源、設定などの操作スイッチ１２４とが配置される。前記筐体１１の底面部には、図示しないクリップが設けられている。前記コード１４２は、コード巻取り手段１４によって巻き取られてコンパクトに収納され、その先端に前記感温機構１３が設けられる。前記感温機構１３は、前記コード１４２を介して電気的に接続される感温素子１３１と、該感温素子１３１を装着する例えば円盤形ゲル状粘着部材１３２とからなる。なお、前記感温素子１３１としてサーミスタを用いる。
【０００３】
該検温器１は、図２に示されるように、前記筐体１１の底面部に設けられたクリップによってオブジェクト例えば乳幼児の服に留められ、前記感温機構１３は、前記粘着部材１３２によって体の表面例えば心臓付近に貼り付けられ、前記感温素子１３１によって連続して検温する。検出した温度は、前記コード１４２を介して前記検温器本体へ転送されて処理され、前記表示部１２２に表示される。そして、体温が異常に高く、または低くなったり高くなったり安定しない緊急事態が発生すると、前記スピーカ部１２３によって警告音が発せられ、周囲に通報するようにしてなる。
【特許文献１】米国特許第６，６４１，５４４号
【考案の開示】
【考案が解決しようとする課題】
【０００４】
このような検温器によれば、測定可能な部位が大幅に増大すると共に、持続的に検温できるが、体温を測定しない時は、散らかしたりしないよう各構成をまとめて専用のバッグやケースに収納しなければならない。また、前記検温器は、前記粘着部材１３２の貼り付けによって検温を行うので、粘着部材の使用を重ねるに伴い粘着力が低下し肌に全面的に貼り付かなくなって検温にばらつきを生じたり、剥れて測定できなくなったりする不都合がある。
【０００５】
従って、本考案は、上記問題点を解決すべくなされたものであり、感温素子が粘着力の低下によりもたらす問題点がある従来の粘着部材を使わずに検温できると共に、簡単でコンパクトに収納できる検温装置を提供することを目的とする。
【課題を解決するための手段】
【０００６】
上記目的を達成する検温装置は、中空状筐体内に設けられた検温器本体を有し、オブジェクトの所定部位に装着しコードを介して前記検温器本体と連結する感温部材によって測定を行う検温装置において、前記感温部材が取り付けられて前記オブジェクトの所定部位に固持するための取付バンドが付設され、前記筐体内の前記検温器本体の設置部位の隣接部位外向けに開口が開設され、該開口を覆うように蓋が設けられ、前記感温部材と前記コードを、前記取付バンドと共に前記開口より前記筐体内に入れて前記蓋によって閉じるように構成されることを特徴とするものである。
【０００７】
また、前記蓋は、該蓋の端縁から切り込んで前記コードを引出せるための小穴が設けられていることを特徴とするものである。
また、前記バンドは、概ね中央部にその上端縁から開口を経て前記感温部材を収容できる保持具としてのポケットが設けられ、両端部に互いに繋ぎ止める留め具が設けられていることを特徴とするものである。
【考案の効果】
【０００８】
上記構成によると、筐体に蓋で閉じる開口を開けてあるので、不使用時には、各構成を筐体にまとめて格納することができ、分散したり汚れたりすることのないよう専用のバッグやケースに収納しなくてもすむ。また、オブジェクトに装着するための取付バンドが付設されるので、感温部材は、従来のようにオブジェクトへの装着のための粘着部材を使うことなく、付設しているバンドのポケットに入れてオブジェクトの肌に密着させて保持することができるので、有効に該粘着部材の粘着力低下による不具合を大幅低減することができる。
【考案を実施するための実施形態】
【０００９】
以下、図面に基づいて本考案の実施形態を説明する。
図３は、本実施例の検温装置の正面斜視図、図４は、同背面斜視図、図５は該検温装置の構成を示す概略分解斜視図、図６は図３の右側視図である。
【００１０】
該検温装置は、バンド４に取り付けた中空状筐体２に内蔵された検温器本体３１を有し、オブジェクトの腕又は腹にバンド４を巻き付けてコード５を介して検温器本体３１と連結する例えば円盤状の感温部材６を、オブジェクトの肌に密着させて検温を行うものであり、検温器本体３１は、中空状筐体２例えば上半部２１に内蔵され、制御処理手段３１１と制御処理手段３１１と接続された記憶手段３１２などをそなえる。筐体２の表面側に、検温器本体３１と連結して温度などを表示するための例えばＬＥＤよりなるディスプレイ部３２１と、高温などの緊急事態を報知するためのスピーカ部３２２と、電源、設定などの操作スイッチ３２３とが設けられている。
【００１１】
また、感温部材６を保持する保持具としてオブジェクトに装着可能な取付バンド４が設けられ、筐体２の例えば下半部２２の底面側には、コード５と感温部材６を、取付バンド４と共に筐体２の下半部２２にコンパクトに収容できるよう開口２３が開設され、蓋２４によって覆われる。取付バンド４は、オブジェクトの例えば腕、又は腹に巻き付ける長さをした細長いバンドであり、その概ね中央部に、その充分な厚さをして上端面の開口部から窪んで感温部材６を取り入れて収容できる保持具である偏平状ポケット４２が設けられ、両端部に例えばマジックテープなどの互いに繋ぎ止める留め具４１１、４１２が設けられている。ポケット４２のオブジェクトに面した側壁部には窓４３が空けられ、透明シート４３０が張付けられている。
【００１２】
コード５は、一端が検温器本体３１と接続され、他端にソケット５３が設けられた第１のコード５１と、一端にソケット５３に対応して差込可能なプラグ５４が設けられ、他端が感温部材６と接続されてある第２のコード５２とからなっている。
【００１３】
筐体２の底面及び蓋２４の開口２３とは逆側の表面には、バンド４に係止するための係止手段２６としての例えばクリップ２６１、２６２、２６３が３つ設けられている。また、蓋２４の例えば上端縁から切り込んでコード５、好ましくは図４に示すように第２のコード５２の一部だけを引出せるための小穴２５が設けられてある。なお、小穴２５は、好ましくはその入り口が穴径より狭く形成される。なお、該検温装置による検温の作業は、従来の検温器と同様であるので、説明は省く。そして該検温装置の回路構成を、参考までに図７に概略示す。
【００１４】
該検温装置により検温を行う時は、図６の状態より、蓋２４を開けて開口２３より、下半部２２内に収容されているバンド４、コード５及び感温部材６を取り出してプラグ５４をソケット５３に差込んで、感温部材６を取付バンド４の保持具であるポケット４２に入れ、第２のコード５２の一部だけを小穴２５より外に伸出するように小穴２５を通すと共に、ソケット５３にプラグ５４を差込んで連結した第１のコード５１と第２のコード５２を再び筐体２に詰め戻し、蓋２４によって筐体２の開口２３を覆う。そしてバンド４のポケット４２が筐体２の底面に設けられたクリップ２６２、２６３の間に位置するようバンド４にクリップ２６２、２６３を係合する（図４）。バンド４の窓４３をオブジェクトの肌と密着させながら例えば腕部や腹部に巻き付け、バンド４の両端部に設けられた留め具４１１、４１２によって繋ぎ止め、操作スイッチ３２３によってスイッチオンして検温を行う。そして、従来の技術と同様に、感温部材６により測定した値は、コード５を介して連結した検温器本体３１により処理し、表示部３２１に表示され、温度が異常に表示されたときは、スピーカ部３２２によって警告音が発せられて周囲に通報する。
【００１５】
そして、検温を行わない時は、バンド４をクリップ２６２、２６３から取り外し、蓋２４を開けると共にコード５を小穴２５から外し、感温部材６とバンド４をコード５と共に開口２３を介して筐体２１の下半部２２内に入れ、蓋２４で開口２３を閉じて格納する（図６）。なお、筐体２１内に格納し終えた検温装置は例えばクリップ２６１によってベルトやジャケットのポケットに係止して持ち歩くことができる。
【００１６】
上記構成により、筐体に蓋で閉じられる開口を開けてあるので、使用しない時は、例えばコードや、感温部材、感温部材の取付バンドなどをまとめて専用のバッグやケースに収納しなくても、開口を介して筐体にまとめて格納することができる。また、感温部材を取付けオブジェクトに装着するための取付バンドが付設されるので、感温部材は従来のようにオブジェクトへの装着のための粘着部材を使わずにバンドによって保持され計測することができるので、粘着部材の粘着力低下による検温データのばらつき、または剥れて検温を失敗する不都合を大幅に低減することができる。
【産業上の利用可能性】
【００１７】
以上の説明で明らかのように、本考案によれば、従来の検温器のように粘着部材を使わずに検温することができると共に、容器を増加させず、検温装置筐体にまとめて格納できる実用性と携帯便利性を兼備する携帯用検温装置が実現される。
【図面の簡単な説明】
【００１８】
【図１】従来の携帯用検温器の構成を示す正面斜視図。
【図２】同検温器の使用例を示す概略図。
【図３】本考案にかかる検温装置の好ましい実施例を示す斜視図。
【図４】同検温装置の背面斜視図。
【図５】同検温装置の分解斜視図。
【図６】同検温装置の概略右側面図。
【図７】同検温装置の概略回路図。
【符号の説明】
【００１９】
２．．．筐体
２１．．．上半部
２２．．．下半部
２３．．．開口
２４．．．蓋
２５．．．小穴
２６．．．係止手段
２６１，２６２，２６３．．．クリップ
３１．．．検温器本体
３１１．．．制御処理手段
３１２．．．記憶手段
３２１．．．ディスプレイ部
３２２．．．スピーカ部
３２３．．．操作スイッチ
４．．．取付バンド
４１１，４１２．．．留め具
４２．．．ポケット（保持具）
４３．．．窓
４３０．．．透明シート
５．．．コード
５１．．．第１のコード
５２．．．第２のコード
５３．．．ソケット
５４．．．プラグ
６．．．感温部材
【図１】
0003107271.tif 000003
【図２】
0003107271.tif 000004
【図３】
0003107271.tif 000005
【図４】
0003107271.tif 000006
【図５】
0003107271.tif 000007
【図６】
0003107271.tif 000008
【図７】
0003107271.tif 000009